(57)【特許請求の範囲】
【請求項１】
少なくとも以下の（ａ）〜（ｄ）工程を備えるバンプを有するプリント配線板の製造方法：
（ａ）接続パッドを露出させる小径の開口と大径の開口とを有するソルダーレジスト層を形成する工程；
（ｂ）前記ソルダーレジスト層の大径の開口にペースト状低融点金属を印刷する工程；
（ｃ）前記ソルダーレジスト層の小径の開口及び大径の開口に対応する開口部を備えるマスクを用い、該小径の開口及び大径の開口に低融点金属球を搭載する工程；
（ｄ）リフローを行い前記小径の開口の前記低融点金属球から小径バンプを、前記大径の開口のペースト状低融点金属及び低融点金属球から大径バンプを形成する工程；を備え、
前記（ｃ）工程において、
前記マスクの上方に、該マスクに対向する開口部を備える筒部材を位置させ、該筒部材で空気を吸引することで、当該筒部材直下の前記マスク上に前記低融点金属球を集合させ、前記筒部材を水平方向に移動させることで、前記マスクの上に集合させた前記低融点金属球を移動させ、前記マスクの開口部を介して、前記低融点金属球を前記ソルダーレジスト層の小径の開口及び大径の開口へ落下させることを特徴とするプリント配線板の製造方法。
【発明の詳細な説明】
【技術分野】
【０００１】
この発明は、プリント配線板の製造方法に係り、特に、ＩＣチップ実装用のパッケージ基板に好適に用い得るプリント配線板の製造方法に関する。
【背景技術】
【０００２】
パッケージ基板とＩＣチップとの電気接続のために半田バンプが用いられている。半田バンプは、以下の工程により形成されている。
（１）パッケージ基板に形成された接続パッドにフラックスを印刷する工程。
（２）フラックスの印刷された接続パッドに、半田ボールを搭載する工程。
（３）リフローを行い半田ボールから半田バンプを形成する工程。
パッケージ基板に半田バンプを形成した後、半田バンプ上にＩＣチップを載置し、リフローにより半田バンプとＩＣチップのパッド（端子）とを接続することで、パッケージ基板にＩＣチップを実装している。上述した半田ボールを接続パッドに搭載する工程では、例えば、特許文献１に示されているボール整列用マスクとスキージを併用する印刷技術が用いられている。
【特許文献１】特開２００１−２６７７３１号
【発明の開示】
【発明が解決しようとする課題】
【０００３】
しかしながら、小径の半田ボールは砂粒よりも小さくなり、特許文献１でのボール整列用マスクとスキージを併用する方法では、スキージで半田ボールが変形して、半田バンプの高さのばらつきがでて品質が低下しする。即ち、半田ボールが小径化すると、表面積に対する重量比が小さくなり、分子間力による半田ボールの吸着現象が生じる。従来技術では、凝集しやすい半田ボールをスキージを接触させて送るため、半田ボールを傷つけ一部に欠けが生じる。半田ボールの一部が欠けると、各接続パッド上で半田バンプの体積が異なるようになるので、上述したように半田バンプの高さにばらつきが生じる。【０００４】
本発明の目的の１つは、ソルダーレジストの開口径が異なる接続パッド（ソルダーレジスト層から露出している大きさが異なる導体回路）にバンプを略同じ高さに形成することができるプリント配線板の製造方法を提供することにある。
【課題を解決するための手段】
【０００６】
請求項１では、ソルダーレジスト層の大径の開口にペースト状低融点金属を印刷する。そして、マスクを用い、ソルダーレジスト層の大径の開口及び小径の開口に低融点金属球を搭載する。リフローを行いソルダーレジスト層の小径の開口で低融点金属球から小径バンプを、ソルダーレジスト層の大径の開口でペースト状低融点金属及び低融点金属球から大径バンプを形成するため、接続パッドを露出させるためのソルダーレジスト開口径が異なっていても、小径バンプと大径バンプとを略同じ高さで形成することができる。このため、小径バンプと大径バンプと介してＩＣチップを搭載した際に、ＩＣチップとプリント配線板との接続信頼性を確保することが可能となる。【０００７】
本願発明の好適な態様では、ソルダーレジスト層の大径の開口内のペースト状低融点金属をリフローした後、マスクを用いてソルダーレジスト層の小径の開口及び大径の開口に低融点金属球を搭載する。このため、マスクが大径の開口内の低融点金属に触っても位置がずれないので、マスクをソルダーレジスト層に近接させて位置決めでき、適正に低融点金属球をソルダーレジスト層の開口へ搭載することが可能になり、バンプの位置ズレ、欠落を防ぐことができる。
【０００８】
本願発明の好適な態様では、マスクを用いてソルダーレジスト層の小径の開口及び大径の開口に低融点金属球を搭載する前に、フラックスを塗布してあるので、低融点金属球が搭載し易く、また、一旦搭載した低融点金属球が位置ズレし難い。
【０００９】
本願発明の好適な態様では、ソルダーレジスト層の大径の開口にペースト状低融点金属を印刷する前にフラックスを塗布してあるので、低融点金属球を搭載する前にフラックスを塗布する必要が無い。即ち、ペースト状低融点金属を印刷した後に、ソルダーレジスト層の小径の開口のフラックス上、及び、大径の開口のペースト状低融点金属上に低融点金属球を搭載し、該ペースト状低融点金属及び低融点金属球を一度にリフローすることができる。リフローの回数を減らすことで、熱履歴による信頼性の低下を防ぐことができる。
【００１０】
請求項１では、マスクの上方に筒部材を位置させ、該筒部材の開口部から空気を吸引することで低融点金属球を集合させ、筒部材を水平方向に移動させることで、集合させた低融点金属球を移動させ、マスクの開口部を介して、低融点金属球をソルダーレジスト層の小径の開口及び大径の開口へ落下させる。このため、微細な低融点金属球を確実にソルダーレジスト層の全ての開口に搭載させることができる。また、低融点金属球を非接触で移動させるため、スキージを用いる場合とは異なり、低融点金属球に傷を付けることなく小径の開口及び大径の開口に搭載でき、バンプの高さを均一にすることができる。更に、ビルドアップ多層配線板の様に、表面に起伏の多いプリント配線板でも低融点金属球を開口に適切に載置させることができる。
【発明を実施するための最良の形態】
【００１１】
[第１実施例]
[半田ボール搭載装置]
多層プリント配線板の接続パッド上に微少（直径２００μｍΦ未満）な半田ボール７７を搭載する半田ボール搭載装置について、図１４を参照して説明する。
図１４（Ａ）は、本発明の一実施例に係る半田ボール搭載装置の構成を示す構成図であり、図１４（Ｂ）は、図１４（Ａ）の半田ボール搭載装置を矢印Ｂ側から見た矢視図である。【００１２】
半田ボール搭載装置１００は、多層プリント配線板１０を位置決め保持するＸＹθ吸引テーブル１１４と、該ＸＹθ吸引テーブル１１４を昇降する上下移動軸１１２と、多層プリント配線板の接続パッドに対応する開口を備えるボール整列用マスク１６と、ボール整列用マスク１６上を移動する半田ボールを誘導する搭載筒（筒部材）１２４と、搭載筒１２４に負圧を与える吸引ボックス１２６と、余剰の半田ボールを回収するための吸着ボール除去筒１６１と、該吸着ボール除去筒１６１に負圧を与える吸引ボックス１６６と、回収した半田ボールを保持する吸着ボール除去吸引装置１６８と、ボール整列用マスク１６をクランプするマスククランプ１４４と、搭載筒１２４及び吸着ボール除去筒１６１をＸ方向へ送るＸ方向移動軸１４０と、Ｘ方向移動軸１４０を支持する移動軸支持ガイド１４２と、多層プリント配線板１０を撮像するためのアライメントカメラ１４６と、搭載筒１２４下にある半田ボールの残量を検出する残量検出センサ１１８と、残量検出センサ１１８により検出された残量に基づき半田ボールを搭載筒１２４側へ供給する半田ボール供給装置１２２と、を備える。【００１３】
次に、本発明の第１実施例に係る多層プリント配線板１０の構成について、図１〜図１１を参照して説明する。図１０は、該多層プリント配線板１０の断面図を、図１１は、図１０に示す多層プリント配線板１０にＩＣチップ９０を取り付け、ドータボード９４へ載置した状態を示している。図１０に示すように、多層プリント配線板１０では、コア基板３０の表面に導体回路３４が形成されている。コア基板３０の表面と裏面とはスルーホール３６を介して接続されている。コア基板３０上に、バイアホール６０及び導体回路５８の形成された層間樹脂絶縁層５０と、バイアホール１６０及び導体回路１５８の形成された層間樹脂絶縁層１５０とが配設されている。該バイアホール１６０及び導体回路１５８の上層にはソルダーレジスト層７０が形成されている。ソルダーレジスト層７０には、大径（Ｄ１＝１０５μｍΦ）の開口７１Ｐと、小径（Ｄ２＝８０μｍΦ）の開口７１Ｓとが形成され、大径開口７１Ｐには電源用、アース用の大径の半田バンプ７８Ｐが配置され、小径開口７１Ｓには、信号用の小径の半田バンプ７８Ｓが設けられている。大径半田バンプ７８Ｐの高さＨ１は３０μｍ程度に、小径半田バンプ７８Ｓの高さＨ２は同じく３０μｍ程度に設定されている。電源用、アース用の大径半田バンプ７８Ｐは、配線距離が短くなるように多層プリント配線板の中央寄りに多く配置され、信号用の小径半田バンプ７８Ｓは、相対的に外寄りに配置される。多層プリント配線板の下面側には、該ソルダーレジスト層７０の開口７１を介して半田バンプ７８Ｄが形成されている。なお、図１０では、ソルダーレジストの開口は導体回路１５８の一部を露出するよう形成されているが、バイアホール１６０のみ、或いは、バイアホール１６０と導体回路１５８の一部を含むように開口を形成してもよい。【００１４】
ＩＣの高集積化に伴い、パッケージ基板の信号線用の半田バンプは更に小径化、狭ピッチ化が求められている。反対に、ＩＣチップの瞬間的な消費電力の増大に対応し得るように、パッケージ基板の電源線、アース線用の半田バンプは、極端な小径化が望まれない。即ち、半田合金から成る半田バンプを小径化すると抵抗値が高くなり、瞬間的に消費電力が増大した際に電圧降下が生じて、ＩＣチップでの誤動作の原因となる。この相反する要求への対応法として、信号線用の半田バンプは小径化し、電源・アース用の半田バンプは小径化しない２種類の径の半田バンプを用いるのが良い。【００１５】
図１１中に示すように、多層プリント配線板１０の上面側の電源用、アース用大径半田バンプ７８Ｐは、ＩＣチップ９０の電源用、アース用電極９２Ｐへ接続され、信号用小径半田バンプ７８Ｓは、信号用電極９２Ｓに接続される。一方、下面側の半田バンプ７８Ｄは、ドータボード９４のランド９６へ接続されている。【００１６】
引き続き、図１０を参照して上述した多層プリント配線板１０の製造方法について図１〜図７を参照して説明する。
（１）厚さ０．２〜０．８ｍｍのガラスエポキシ樹脂またはＢＴ（ビスマレイミドトリアジン）樹脂からなる絶縁性基板３０の両面に５〜２５０μｍの銅箔３２がラミネートされている銅張積層板３０Ａを出発材料とした（図１（Ａ））。まず、この銅張積層板をドリル削孔して通孔３３を穿設し（図１（Ｂ））、無電解めっき処理および電解めっき処理を施し、スルーホール３６の側壁導体層３６ｂを形成した（図１（Ｃ））。【００１７】
（２）スルーホール３６を形成した基板３０を水洗いし、乾燥した後、ＮａＯＨ（１０ｇ／ｌ）、ＮａＣｌＯ2 （４０ｇ／ｌ）、Ｎａ3 ＰＯ4 （６ｇ／ｌ）を含む水溶液を黒化浴（酸化浴）とする黒化処理、および、ＮａＯＨ（１０ｇ／ｌ）、ＮａＢＨ4 （６ｇ／ｌ）を含む水溶液を還元浴とする還元処理を行い、スルーホール３６の側壁導体層３６ｂ及び表面に粗化面３６αを形成する（図１（Ｄ））。【００１８】
（３）次に、平均粒径１０μｍの銅粒子を含む充填剤３７（タツタ電線製の非導電性穴埋め銅ペースト、商品名：ＤＤペースト）を、スルーホール３６へスクリーン印刷によって充填し、乾燥、硬化させる（図２（Ａ））。これは、スルーホール部分に開口を設けたマスクを載置した基板上に、印刷法にて塗布することによりスルーホールに充填させ、充填後、乾燥、硬化させる。【００１９】
引き続き、スルーホール３６からはみ出した充填剤３７を、＃６００のベルト研磨紙（三共理化学製）を用いたベルトサンダー研磨により除去し、さらにこのベルトサンダー研磨による傷を取り除くためのバフ研磨を行い、基板３０の表面を平坦化する（図２（Ｂ）参照）。このようにして、スルーホール３６の側壁導体層３６ｂと樹脂充填剤３７とが粗化層３６αを介して強固に密着した基板３０を得る。【００２０】
（４）前記（３）で平坦化した基板３０表面に、パラジウム触媒（アトテック製）を付与し、無電解銅めっきを施すことにより、厚さ０．６μｍの無電解銅めっき膜２３を形成する（図２（Ｃ）参照）。【００２１】
（５）ついで、以下の条件で電解銅めっきを施し、厚さ１５μｍの電解銅めっき膜２４を形成し、導体回路３４となる部分の厚付け、およびスルーホール３６に充填された充填剤３７を覆う蓋めっき層（スルーホールランド）となる部分を形成する（図２（Ｄ））。
〔電解めっき水溶液〕
硫酸                １８０  ｇ／ｌ
硫酸銅                ８０  ｇ／ｌ
添加剤（アトテックジャパン製、商品名：カパラシドＧＬ）
１  ｍｌ／ｌ
〔電解めっき条件〕
電流密度              １Ａ／ｄｍ２  
時間                      ７０分
温度                      室温【００２２】
（６）導体回路および蓋めっき層となる部分を形成した基板３０の両面に、市販の感光性ドライフィルムを張り付け、マスクを載置して、１００ｍＪ／ｃｍ２  で露光、０．８％炭酸ナトリウムで現像処理し、厚さ１５μｍのエッチングレジスト２５を形成する（図２（Ｅ）参照）。【００２３】
（７）そして、エッチングレジスト２５を形成してない部分のめっき膜２３，２４と銅箔３２を、塩化第２銅を主成分とするエッチング液にて溶解除去し、さらに、エッチングレジスト２５を５％ＫＯＨで剥離除去して、独立した導体回路３４、および、充填剤３７を覆う蓋めっき層３６ａを形成する（図３（Ａ）参照）。【００２４】
（８）次に、導体回路３４および充填剤３７を覆う蓋めっき層３６ａの表面にＣｕ−Ｎｉ−Ｐ合金からなる厚さ２．５μｍの粗化層（凹凸層）３４βを形成し、さらにこの粗化層３４βの表面に厚さ０．３μｍのＳｎ層を形成した（図３（Ｂ）参照、但し、Ｓｎ層については図示しない）。【００２５】
（９）基板の両面に、基板より少し大きめの層間樹脂絶縁層用樹脂フィルム（味の素社製：商品名；ＡＢＦ−４５ＳＨ）５０γを基板上に載置し、圧力０．４５ＭＰａ、温度８０℃、圧着時間１０秒の条件で仮圧着して裁断した後、さらに、以下の方法により真空ラミネーター装置を用いて貼り付けることにより層間樹脂絶縁層５０を形成した（図３（Ｃ））。すなわち、層間樹脂絶縁層用樹脂フィルムを基板上に、真空度６７Ｐａ、圧力０．４７ＭＰａ、温度８５℃、圧着時間６０秒の条件で本圧着し、その後、１７０℃で４０分間熱硬化させた。【００２６】
（１０）次に、波長１０．４μｍのＣＯ2 ガスレーザにて、ビーム径４．０ｍｍ、トップハットモード、パルス幅３〜３０μ秒、マスクの貫通孔の径１．０〜５．０ｍｍ、１〜３ショットの条件で層間樹脂絶縁層５０にバイアホール用開口５１を形成した（図３（Ｄ））。【００２７】
（１１）バイアホール用開口５１を形成した基板を、６０ｇ／ｌの過マンガン酸を含む８０℃の溶液に１０分間浸漬し、層間樹脂絶縁層５０の表面に存在する粒子を除去することにより、バイアホール用開口５１の内壁を含む層間樹脂絶縁層５０の表面に粗化面５０αを形成した（図４（Ａ））。【００２８】
（１２）次に、上記処理を終えた基板を、中和溶液（シプレイ社製）に浸漬してから水洗いした。
さらに、粗面化処理（粗化深さ３μｍ）した該基板の表面に、パラジウム触媒を付与することにより、層間樹脂絶縁層の表面およびバイアホール用開口の内壁面に触媒核を付着させた。すなわち、上記基板を塩化パラジウム（ＰｂＣｌ2 ）と塩化第一スズ（ＳｎＣｌ2 ）とを含む触媒液中に浸漬し、パラジウム金属を析出させることにより触媒を付与した。【００２９】
（１３）次に、上村工業社製の無電解銅めっき水溶液（スルカップＰＥＡ）中に、触媒を付与した基板を浸漬して、粗面全体に厚さ０．３〜３．０μｍの無電解銅めっき膜を形成し、バイアホール用開口５１の内壁を含む層間樹脂絶縁層５０の表面に無電解銅めっき膜５２が形成された基板を得た（図４（Ｂ））。
〔無電解めっき条件〕
３４℃の液温度で４５分【００３０】
（１４）無電解銅めっき膜５２が形成された基板に市販の感光性ドライフィルムを張り付け、マスクを載置して、１１０ｍＪ／ｃｍ2 で露光し、０．８％炭酸ナトリウム水溶液で現像処理することにより、厚さ２５μｍのめっきレジスト５４を設けた。ついで、基板を５０℃の水で洗浄して脱脂し、２５℃の水で水洗後、さらに硫酸で洗浄してから、以下の条件で電解めっきを施し、めっきレジスト５４非形成部に、厚さ１５μｍの電解銅めっき膜５６を形成した（図４（Ｃ））。
〔電解めっき液〕
硫酸                      ２．２４  ｍｏｌ／ｌ
硫酸銅                    ０．２６  ｍｏｌ／ｌ
添加剤                    １９．５    ｍｌ／ｌ
（アトテックジャパン社製、カパラシドＧＬ）
〔電解めっき条件〕
電流密度                    １  Ａ／ｄｍ2
時間                        ７０  分
温度                        ２２±２  ℃【００３１】
（１５）さらに、めっきレジスト５４を５％ＫＯＨで剥離除去した後、そのめっきレジスト下の無電解めっき膜を硫酸と過酸化水素との混合液でエッチング処理して溶解除去し、独立の導体回路５８及びバイアホール６０とした（図４（Ｄ））。【００３２】
（１６）ついで、上記（４）と同様の処理を行い、導体回路５８及びバイアホール６０の表面に粗化面５８αを形成した。下層の導体回路５８の厚みは１５μｍの厚みであった（図５（Ａ））。ただし、下層の導体回路の厚みは、５〜２５μｍの間で形成してもよい。【００３３】
（１７）上記（９）〜（１６）の工程を繰り返すことにより、さらに上層の導体回路１５８、バイアホール１６０を有する層間絶縁層１５０を形成し、多層配線板を得た（図５（Ｂ））。【００３４】
（１８）次に、多層配線基板の両面に、市販のソルダーレジスト組成物７０を２０μｍの厚さで塗布し、７０℃で２０分間、７０℃で３０分間の条件で乾燥処理を行った後、ソルダーレジスト開口部のパターンが描画された厚さ５ｍｍのフォトマスクをソルダーレジスト層７０に密着させて１０００ｍＪ／ｃｍ2 の紫外線で露光し、ＤＭＴＧ溶液で現像処理し、上面側に大径（Ｄ１＝１０５μｍΦ）の開口７１Ｐと、小径（Ｄ２＝８０μｍΦ）の開口７１Ｓ、下面側に直径２００μｍの開口７１を形成した（図５（Ｃ））。
そして、さらに、８０℃で１時間、１００℃で１時間、１２０℃で１時間、１５０℃で３時間の条件でそれぞれ加熱処理を行ってソルダーレジスト層を硬化させ、開口を有し、その厚さが１５〜２５μｍのソルダーレジストパターン層を形成した。【００３５】
（１９）次に、ソルダーレジスト層７０を形成した基板を、塩化ニッケル（２．３×１０-1ｍｏｌ／ｌ）、次亜リン酸ナトリウム（２．８×１０-1ｍｏｌ／ｌ）、クエン酸ナトリウム（１．６×１０-1ｍｏｌ／ｌ）を含むｐＨ＝４．５の無電解ニッケルめっき液に２０分間浸漬して、開口部７１、７１Ｓ、７１Ｐに厚さ５μｍのニッケルめっき層７２を形成した。さらに、その基板をシアン化金カリウム（７．６×１０-3ｍｏｌ／ｌ）、塩化アンモニウム（１．９×１０-1ｍｏｌ／ｌ）、クエン酸ナトリウム（１．２×１０-1ｍｏｌ／ｌ）、次亜リン酸ナトリウム（１．７×１０-1ｍｏｌ／ｌ）を含む無電解金めっき液に８０℃の条件で７．５分間浸漬して、ニッケルめっき層７２上に、厚さ０．０３μｍの金めっき層７４を形成した（図５（Ｄ））。ニッケル−金層以外にも、スズ、貴金属層（金、銀、パラジウム、白金など）の単層を形成してもよい。【００３６】
（２０）大径の開口７１Ｐに対応する開口１７ａを有する印刷用マスク１７を多層プリント配線板１０に位置合わせして載置し、半田ペースト７５を大径の開口７Ｐ内に印刷する（図６（Ａ））。【００３７】
（２１）２００℃でリフローを行い、半田ペースト７５を半田体７５Ｃにする（図６（Ｂ））。【００３８】
（２２）リフロー洗浄を行った後に、ソルダーレジスト層の表面にフラックス８２を塗布する（図６（Ｃ））。【００３９】
（２３）半田ボール搭載工程
引き続き、図１４を参照して上述した半田ボール搭載装置１００による多層プリント配線板１０への半田ボールの搭載工程について図７〜図９を参照して説明する。
（I）多層プリント配線板の位置認識、補正
図７（Ａ）に示すように多層プリント配線板１０のアライメントマーク３４Ｍをアライメントカメラ１４６により認識し、ボール整列用マスク１６に対して多層プリント配線板１０の位置をＸＹθ吸引テーブル１１４によって補正する。即ち、ボール整列用マスク１６の開口１６ａがそれぞれ多層プリント配線板１０の小径開口７１Ｓ及び大径開口７１Ｐに対応するように位置調整する。【００４０】
（II）半田ボール供給
図７（Ｂ）に示すように半田ボール供給装置１２２から半田ボール７７（直径７５μｍ、Ｓｎ６３Ｐｂ３７（日立金属社製））を搭載筒１２４側へ定量供給する。なお、予め搭載筒内に供給しておいても良い。実施例では、半田ボールにＳｎ／Ｐｂ半田を用いたが、ＳｎとＡｇ、Ｃｕ、Ｉｎ、Ｂｉ、Ｚｎ等の群から選ばれるＰｂフリー半田であってもよい。【００４１】
（III）半田ボール搭載
図８（Ａ）に示すように、ボール整列用マスク１６の上方に、該ボール整列用マスクとの所定のクリアランス（例えば、ボール径の０．５〜４倍）を保ち搭載筒１２４を位置させ、吸引部２４bから空気を吸引することで、搭載筒とプリント配線板間の隙間の流速を５m/sec〜３５m/secにして、当該搭載筒１２４の開口部１２４Ａ直下のボール整列用マスク１６上に半田ボール７７を集合させた。【００４２】
その後、図８（Ｂ）、図９（Ａ）に示すように、図１４（Ｂ）及び図１４（Ａ）に示す多層プリント配線板１０のＹ軸沿って並べられた搭載筒１２４を、Ｘ方向移動軸１４０を介してＸ軸に沿って水平方向へ送る。これにより、ボール整列用マスク１６の上に集合させた半田ボール７７を搭載筒１２４の移動に伴い移動させ、ボール整列用マスク１６の開口１６ａを介して、半田ボール７７を多層プリント配線板１０の小径開口７１Ｓ及び大径開口７１Ｐへ落下、搭載させて行く。これにより、半田ボール７７が多層プリント配線板１０側の全接続パッド上に順次整列される。【００４３】
（IV）付着半田ボール除去
図９（Ｂ）に示すように、搭載筒１２４により余剰の半田ボール７７をボール整列用マスク１６上に開口１６ａの無い位置まで誘導した後、吸着ボール除去筒１６１により吸引除去する。【００４４】
（２４）この後、２３０℃でリフローすることにより上面の半田体７５及び半田ボール７７を溶融し、半田体７５及び半田ボール７７から大径の半田バンプ７８Ｐを、半田ボール７７から小径の半田バンプ７８Ｓを、下面の図示しない半田体から半田バンプ７８Ｄを形成したした（図１０）。【００４５】
多層プリント配線板１０にＩＣチップ９０を載置し、リフローを行うことで、半田バンプ７８Ｐ、７８Ｓを介してプリント配線板の接続パッドとＩＣチップ９０の電極が接続される。そして、半田バンプ７８Ｄを介してドータボード９４へ取り付ける（図１１）。【００４６】
第１実施例では、ソルダーレジスト層７０の小径の開口７１Ｓに搭載された半田ボール７７から小径バンプ７８Ｓを、大径の開口７１Ｐに搭載された半田体（半田ペースト）７５Ｃ及び半田ボール７７から大径バンプ７８Ｐを形成するので、口径の異なる小径バンプ７８Ｓと大径バンプ７８Ｐとを略同じ高さで形成することができる。このため、小径バンプ７８Ｓと大径バンプ７８Ｐと介してＩＣチップ９０を搭載した際に、ＩＣチップの実装歩留まりを高くできるし、ＩＣチップ９０と多層プリント配線板１０との接続信頼性を確保することが可能となる。【００４７】
第１実施例では、リフローを行い半田ペーストから半田体７５Ｃを形成した後、ボール整列用マスク１６を用いる。半田体７５Ｃは、ボール整列用マスク１６が触れても位置がずれないので、ボール整列用マスク１６をソルダーレジスト層７０に近接させて位置決めでき、適正に半田ボール７７を大径開口７１Ｐ、小径開口７１Ｓへ搭載することが可能になり、大径バンプ７８Ｐ、小径バンプ７８Ｓの位置ズレ、欠落を防ぐことができる。【００４８】
また、本実施例によれば、ボール整列用マスク１６の上方に搭載筒１２４を位置させ、該搭載筒１２４から空気を吸引することで半田ボール７７を集合させ、搭載筒１２４を水平方向に移動させることで、集合させた半田ボール７７をボール整列用マスク１６の上を移動させ、ボール整列用マスク１６の開口１６ａを介して、半田ボール７７を多層プリント配線板１０の小径開口７１Ｓ及び大径開口７１Ｐへ落下させる。このため、微細な半田ボール７７を確実に多層プリント配線板１０の全ての小径開口７１Ｓ及び大径開口７１Ｐに搭載させることができる。また、半田ボール７７を非接触で移動させるため、スキージを用いる場合とは異なり、半田ボールを傷を付けることなく小径開口７１Ｓ、大径開口７１Ｐに搭載でき、半田バンプ７８Ｓ、７８Ｐの高さを均一にすることができる。更に、吸引力により半田ボールを誘導するため、半田ボールの凝集、付着を防止することができる。【００４９】
[第２実施例]
図１２を参照して本発明の第２実施例に係るプリント配線板の製造方法について説明する。
上述した第１実施例では、先ず、半田ペーストをリフローした後、半田ボール７７を多層プリント配線板に搭載し、半田ボール７７をリフローした。これに対して、第２実施例では、半田ペースト７５と半田ボール７７とを同時にリフローする。【００５０】
図６（Ａ）を参照して上述した第１実施例と同様に、多層プリント配線板１０の小径開口７１Ｓに半田ペースト７５を印刷した後、ソルダーレジスト層７０にフラックス８２を塗布する（図１２（Ａ））。【００５１】
第１実施例と同様に、半田ボール搭載装置１００の搭載筒１２４、及び、ボール整列用マスク１６を用いて半田ボール７７を多層プリント配線板１０の小径開口７１Ｓ及び大径開口７１Ｐへ落下させる（図１２（Ｂ））。その後、２３０℃でリフローすることで、小径開口７１Ｓ内の半田ボール７７、大径開口７１Ｐ内の半田ペースト７５及び半田ボール７７から半田バンプ７８Ｐ、７８Ｓを形成する（図１０）。【００５２】
第２実施例では、リフローの回数を減らすことで、熱履歴による信頼性の低下を防ぐことができる。【００５３】
[第３実施例]
図１３を参照して本発明の第３実施例に係るプリント配線板の製造方法について説明する。第３実施例は、第２実施例と同様に半田ペースト７５と半田ボール７７とを同時にリフローする。【００５４】
図５（Ｄ）を参照して上述した第１実施例と同様にして多層プリント配線板を完成した後、予めソルダーレジスト層７０にフラックスを塗布する（図１３（Ａ））。【００５５】
印刷用マスク１７を用いて多層プリント配線板１０の大径開口７１Ｐに半田ペースト７５を印刷する（図１３（Ｂ））。【００５６】
第１実施例と同様に、半田ボール搭載装置１００の搭載筒１２４、及び、ボール整列用マスク１６を用いて半田ボール７７を多層プリント配線板１０の小径開口７１Ｓ及び大径開口７１Ｐへ落下させる（図１３（Ｃ））。その後、２３０℃でリフローすることで、小径開口７１Ｓ内の半田ボール７７、大径開口７１Ｐ内の半田ペースト７５及び半田ボール７７から半田バンプ７８Ｐ、７８Ｓを形成する（図１０）。【００５７】
第３実施例では、リフローの回数を減らすことで、熱履歴による信頼性の低下を防ぐことができる。上述した実施例１〜３での半田ボール搭載では、搭載筒を移動したが、マスクとプリント配線板とを移動させてもよいし、両者を相対的に移動させてもよい。
【図面の簡単な説明】
【００５８】
【図１】本発明の第１実施例の多層プリント配線板を製造方法を示す工程図である。
【図２】第１実施例の多層プリント配線板を製造方法を示す工程図である。
【図３】第１実施例の多層プリント配線板を製造方法を示す工程図である。
【図４】第１実施例の多層プリント配線板を製造方法を示す工程図である。
【図５】第１実施例の多層プリント配線板を製造方法を示す工程図である。
【図６】第１実施例の多層プリント配線板を製造方法を示す工程図である。
【図７】第１実施例の多層プリント配線板を製造方法を示す工程図である。
【図８】第１実施例の多層プリント配線板を製造方法を示す工程図である。
【図９】第１実施例の多層プリント配線板を製造方法を示す工程図である。
【図１０】第１実施例に係る多層プリント配線板の断面図である。
【図１１】図１０に示す多層プリント配線板にＩＣチップを載置した状態を示す断面図である。
【図１２】第２実施例の多層プリント配線板を製造方法を示す工程図である。
【図１３】第３実施例の多層プリント配線板を製造方法を示す工程図である。
【図１４】図１４（Ａ）は、本発明の実施例に係る半田ボール搭載装置の構成を示す構成図であり、図１４（Ｂ）は、図１４（Ａ）の半田ボール搭載装置を矢印Ｂ側から見た矢視図である。
【符号の説明】
【００５９】
３０  基板
３６  スルーホール
４０  樹脂充填層
５０  層間樹脂絶縁層
５８  導体回路
６０  バイアホール
７０  ソルダーレジスト層
７１Ｓ  小径開口
７１Ｐ  大径開口
７７  小径半田ボール
７７  大径半田ボール
７８Ｓ  小径半田バンプ
７８Ｐ  大径半田バンプ
１００  半田ボール搭載装置
１２４  搭載筒（筒部材）
【図１】
0004679588.tif 000002
【図２】
0004679588.tif 000003
【図３】
0004679588.tif 000004
【図４】
0004679588.tif 000005
【図５】
0004679588.tif 000006
【図６】
0004679588.tif 000007
【図７】
0004679588.tif 000008
【図８】
0004679588.tif 000009
【図９】
0004679588.tif 000010
【図１０】
0004679588.tif 000011
【図１１】
0004679588.tif 000012
【図１２】
0004679588.tif 000013
【図１３】
0004679588.tif 000014
【図１４】
0004679588.tif 000015